(57)【要約】【課題】架空線に対して固定した状態で常に鳥類止着防止細線を架空線の上方位置に離隔して並行に配索することができる鳥類止着防止細線取付け治具の提供。【解決手段】架空線Ｂに取付けられる本体部位は円環状部材２０として構成されており、円環状部材２０の円環内方位置に架空線Ｂに固定して取付けられる固定具３０が配設されており、本体部位の円環状部材２０には、その円環上を移動可能に円弧状部材４０が配設されており、円弧状部材４０には、架空線Ｂに並行に配索される鳥類止着防止細線Ａを円弧状部材４０に固定する細線固定手段と、円弧状部材４０を円環状部材２０の円環上の任意の位置で円環状部材２０に固定することのできる円弧状部材移動固定手段とを備え、円弧状部材により鳥類止着防止細線Ａが架空線Ｂの上方位置に配索された状態として取付けることができる。【選択図】図１
2012039918.tif 000002
【特許請求の範囲】
【請求項１】
地上に立設される電柱、鉄塔、建造物等の配索支持構成物間の空中に架け渡される架空線は、電力供給用・通信用等の電線と、該電線の軸方向に沿って張り渡されて該電線を支持する支持線とから成り、
前記架空線の電線及び支持線より断面が細く、かつ鳥類が止まることのできない細さの鳥類止着防止細線を、前記架空線の上方位置に離隔して並行に配索するために前記架空線に取り付けられる鳥類止着防止細線取付け治具であって、
前記架空線に取付けられる本体部位は円環状部材として構成されており、該円環状部材の円環内方位置に前記架空線に固定して取付けられる固定具が配設されており、
前記本体部位の円環状部材には、その円環上を移動可能に円弧状部材が配設されており、
該円弧状部材には、前記架空線に並行に配索される鳥類止着防止細線を該円弧状部材に固定する細線固定手段と、該円弧状部材を前記円環状部材の円環上の任意の位置で該円環状部材に固定することのできる円弧状部材移動固定手段とを備え、該円弧状部材により前記鳥類止着防止細線が前記架空線の上方位置に配索された状態として取付けることができることを特徴とする鳥類止着防止細線取付け治具。
【請求項２】
請求項１に記載の鳥類止着防止細線取付け治具であって、
前記円弧状部材に設ける細線固定手段と円弧状部材移動固定手段とは、単一の操作により連動してその固定作動が行われる構成となっていることを特徴とする鳥類止着防止細線取付け治具。
【請求項３】
請求項２に記載の鳥類止着防止細線取付け治具であって、
前記単一の操作による連動固定は、前記円環状部材に対し径方向へ押圧する押圧部材との接触面の摩擦力によって前記円弧状部材の前記円環状部材に対する固定と、前記鳥類止着防止細線の固定をすることを特徴とする鳥類止着防止細線取付け治具。
【請求項４】
請求項１から請求項３にいずれかに記載の鳥類止着防止細線取付け治具であって、
前記本体部位の円環状部材は、二分割構成されて分離接続可能に配設されており、該分割された箇所から架空線を該円環状部材の外方位置から内方位置の固定具位置に挿入可能とされていることを特徴とする鳥類止着防止細線取付け治具。
【請求項５】
請求項１から請求項４にいずれかに記載の鳥類止着防止細線取付け治具であって、
前記本体部位に構成される前記固定具は、少なくとも前記支持線に対して位置を固定する構成とされていることを特徴とする鳥類止着防止細線取付け治具。
【発明の詳細な説明】
【技術分野】
【０００１】
本発明は、鳥類止着防止細線取付け治具に関する。詳しくは、地上に立設される電柱、鉄塔、建造物等の配索支持構成物間の空中に架け渡される架空線は、電力供給用・通信用等の電線と、該電線の軸方向に沿って張り渡されて該電線を支持する支持線とから成り、前記架空線の電線及び支持線より断面が細く、かつ鳥類が止まることのできない細さの鳥類止着防止細線を、前記架空線の上方位置に離隔して並行に配索するために前記架空線に取り付けられる鳥類止着防止細線取付け治具に関する。
【背景技術】
【０００２】
従来より、地上に立設される電柱、鉄塔、建造物等の配索支持構成物間の空中に架け渡される架空線に止まるスズメ、ムクドリ、ハト、カラス等の鳥類は、糞害、騒音等といった被害を及ぼし、近隣住民の生活上の支障を来たすおそれがあった。ここで、一般に架空線は、電力供給用・通信用等の電線と、該電線の軸方向に沿って張り渡されて該電線を支持する支持線とから構成されており、鳥類は、この架空線の電線又は支持線に足をのせて掴んで止まる。
【０００３】
この架空線に対し鳥類が止まることを防止するための技術として様々な技術開示がなされており、例えば、特許文献１及び特許文献２のような技術が知られている。この特許文献１は、放射状に突出する針部が設けられた針状部材を架空線に沿って連続して嵌め合わせる構成のものである。この針状部材の構成によって、鳥類が架空線に止まるのを防止するものである。ところが、特許文献１においては、構造が複雑であるため、材料コストがかることが懸念されるし、針状部材を一つ一つ取付ける作業コストの増加のおそれがある。また、針状部材の構造においては、冬季の降雪時に雪が積もりやすいといった問題が懸念される。
【０００４】
また、特許文献２は、一対の半環状の板状部材と、その半環状の板状部材の内周側には、中心に向かって延在する弾性係合片が全周に亘って複数配設されている。この半環状の板状部材内に架空線を取り込んだ状態で合着して取り付ける構成のものである。この板状部材の単一の配設では、軸方向隣接位置に容易に鳥類が止まってしまうことから、架空線に沿って所定間隔を隔てて複数配設する構成とすることで、鳥類が架空線に止まるのを防止するものである。ところが、特許文献２においては、板状部材を複数配設する必要がありコスト増加のおそれがある。また、板状部材は架空線に挿通する構成であるため軸方向に摺動しやすく、風にあおられて、当初配設位置からずれてしまうおそれがある。
【０００５】
更に、特許文献３に示すように、架空線の支持線による電線の支持構成においては、支持線に対し所定間隔を隔ててワイヤーハンガーを設置し、支持線の下方の離隔した位置で電線を吊って支持する構成のものがある。このような構成においては、上記特許文献１及び特許文献２のような装置は、取付形態に制約が伴うといった懸念がある。
そこで、鳥類が架空線に止まるのを防止するものとして、架空線の電線及び支持線より断面が細く、かつ鳥類が止まることのできない細さの鳥類止着防止細線を、架空線の上方位置に離隔して並行に配索することで、架空線に鳥が止まるのを防止する技術が知られている。そのような構成の例として、特許文献４から特許文献６が知られている。
【０００６】
この特許文献４においては、架空線を遊嵌状に貫通させる貫通孔と、貫通孔の周壁部分から外方に放射状に延出させた複数の支持腕と、貫通孔の周壁部分の一部に貫通孔内へ架空線を嵌入させるための開口部とを備えた部材を一対架空線に対峙させて配設し、一つの支持腕間には、撓み防止部材を架け渡し、残りの支持腕には鳥類止着防止細線を張り渡す技術について開示されている。ところが、架空線を遊嵌状に貫通させた状態のため、風にあおられて、当初配設位置からずれてしまうおそれがある。
また、特許文献５及び特許文献６においては、架空線を保持する部位と、鳥類止着防止細線を架空線の上方に離隔して架設するために延出した部位を備えた構成の技術が開示されている。ここで、特許文献５においては、断面が円形状の架空線を把持する構成のものであるところ、架空線の種類は多岐にわたり、自己支持型の架空線には非円形のものも多く存在することに鑑み、架空線の支持線を把持する構成の技術開示として特許文献６がある。この特許文献６においては、自己支持型の架空線の構成として支持線が必ず上方に配置することを前提とした技術開示がなされている。
【先行技術文献】
【特許文献】
【０００７】
【特許文献１】特開２００９−２２５７３８号公報
【特許文献２】特開２００８−１３１９０１号公報
【特許文献３】特開２００７−６８３０６号公報
【特許文献４】特開平１０−１５５４０８号公報
【特許文献５】特許第３２１２９０７号公報
【特許文献６】特許第３８９４３３０号公報
【発明の概要】
【発明が解決しようとする課題】
【０００８】
しかしながら、自己支持型の架空線で断面が非円形の一例として、支持線を本体に沿わす格好で一体化したいわゆるＳＳケーブル（Ｓｅｌｆ−ｓｕｐｐｏｒｔｉｎｇケーブルの頭文字をとってＳＳケーブルと称している。）が知られている。一般に、このＳＳケーブルの構造は、電線本体と、鋼線等の支持線から構成されており、支持線を電線本体に沿わす格好で間隔をおいて並行に配置し、これら外周を共通してポリエチレン塩化ビニル等の合成樹脂からなるプラスチックシースで一体的に被覆した構成のものである。このＳＳケーブルは断面が非円形のため、強風に対してより抵抗の高い断面構造であることから、強風時に上下左右に踊るように揺動するダンシング現象が知られている。このダンシング現象防止のため、このＳＳケーブルに所定間隔ごとに捻りを加えて張り渡すことで防止することが知られている。（例えば、１０ｍにつき１回程度のねじりを入れて張り渡す）そのため、ＳＳケーブルのような架空線の場合、軸方向において支持線が上方に配置構成されない状態も存在し、特許文献６の技術開示によっては、鳥類止着防止細線を、架空線の上方位置に離隔して並行に配索することができない場合がある。また、特許文献６は、鳥類止着防止細線を巻きつけて張り渡す構成のものであり、装着性に煩わしさの懸念がある。また、中間支持具が構成されることで撓み防止を図っていることから裏づけられるように、鳥類止着防止細線が撓みやすいという懸念もある。
【０００９】
而して、本発明は、このような点に鑑みて創案されたものであり、本発明が解決しようとする課題は、地上に立設される電柱、鉄塔、建造物等の配索支持構成物間の空中に架け渡される架空線は、電力供給用・通信用等の電線と、該電線の軸方向に沿って張り渡されて該電線を支持する支持線とから成り、前記架空線の電線及び支持線より断面が細く、かつ鳥類が止まることのできない細さの鳥類止着防止細線を、前記架空線の上方位置に離隔して並行に配索するために前記架空線に取り付けられる鳥類止着防止細線取付け治具において、架空線に対して固定した状態で常に鳥類止着防止細線を架空線の上方位置に離隔して並行に配索することができる鳥類止着防止細線取付け治具を提供することにある。
【課題を解決するための手段】
【００１０】
上記課題を解決するために、本発明の鳥類止着防止細線取付け治具は次の手段をとる。
先ず、第１の発明は、地上に立設される電柱、鉄塔、建造物等の配索支持構成物間の空中に架け渡される架空線は、電力供給用・通信用等の電線と、該電線の軸方向に沿って張り渡されて該電線を支持する支持線とから成り、前記架空線の電線及び支持線より断面が細く、かつ鳥類が止まることのできない細さの鳥類止着防止細線を、前記架空線の上方位置に離隔して並行に配索するために前記架空線に取り付けられる鳥類止着防止細線取付け治具であって、前記架空線に取付けられる本体部位は円環状部材として構成されており、該円環状部材の円環内方位置に前記架空線に固定して取付けられる固定具が配設されており、前記本体部位の円環状部材には、その円環上を移動可能に円弧状部材が配設されており、該円弧状部材には、前記架空線に並行に配索される鳥類止着防止細線を該円弧状部材に固定する細線固定手段と、該円弧状部材を前記円環状部材の円環上の任意の位置で該円環状部材に固定することのできる円弧状部材移動固定手段とを備え、該円弧状部材により前記鳥類止着防止細線が前記架空線の上方位置に配索された状態として取付けることができることを特徴とする。
【００１１】
この第１の発明によれば、架空線に取付けられる本体部位は円環状部材として構成されている。この本体部位の円環状部材には、その円環上を移動可能な円弧状部材が配設されている。この円弧状部材には、細線固定手段、円弧状部材移動固定手段が構成されている。この円弧状部材移動固定手段によって円弧状部材を円環状部材の円環上の任意の位置で円環状部材に固定して、細線固定手段によって架空線に並行に配索される鳥類止着防止細線を円弧状部材に固定する構成となっている。これにより、架空線に対して固定した状態で鳥類止着防止細線を常に架空線の上方位置に離隔して並行に配索することができる。また、鳥類止着防止細線は鳥類が止まることのできない細さで構成されているため、風への影響を受けにくい。また、降雨時に雨水などが溜まり易い構成でもなく、降雪時に雪が積雪しやすい構成でもない。また、コストの抑制も図れる。
【００１２】
次に、第２の発明は、第１の発明の鳥類止着防止細線取付け治具において、前記円弧状部材に設ける細線固定手段と円弧状部材移動固定手段とは、単一の操作により連動してその固定作動が行われる構成となっていることを特徴とする。
【００１３】
この第２の発明によれば、円弧状部材に設ける細線固定手段と円弧状部材移動固定手段は、単一の操作により連動してその固定作動が行われる構成であるため、架空線に対する鳥類止着防止細線の設置を容易にすることができる。
【００１４】
次に、第３の発明は、第２の発明の鳥類止着防止細線取付け治具において、前記単一の操作による連動固定は、前記円環状部材に対し径方向へ押圧する押圧部材との接触面の摩擦力によって前記円弧状部材の前記円環状部材に対する固定と、前記鳥類止着防止細線の固定をすることを特徴とする。
【００１５】
この第３の発明によれば、円環状部材に対し径方向へ押圧する押圧部材との接触面の摩擦力によって円弧状部材の円環状部材に対する固定と、鳥類止着防止細線の固定をする構成である。これにより単一の操作による連動固定がなされており、より一層架空線に対する鳥類止着防止細線の設置を容易とすることができる。また、複雑な構造ではなく、押圧部材によるものであるため、材料コストの抑制を図ることができる。
【００１６】
次に、第４の発明は、第１の発明から第３の発明のいずれかの鳥類止着防止細線取付け治具において、前記本体部位の円環状部材は、二分割構成されて分離接続可能に配設されており、該分割された箇所から架空線を該円環状部材の外方位置から内方位置の固定具位置に挿入可能とされていることを特徴とする。
【００１７】
この第４の発明によれば、本体部位の円環状部材は、二分割構成となっており、分割された箇所から架空線を円環状部材の外方位置から内方位置の固定具位置に挿入可能とされているため、取付性がより一層容易となっている。また、この二分割構成の円環状部材は、分離接続可能な構成のため、架空線を円環状部材の内方位置の固定具位置に挿入した後に再び接続した構成とすることで鳥類止着防止細線取付け治具の不意の脱落を防止することができる。
【００１８】
次に、第５の発明は、第１の発明から第４の発明のいずれかの鳥類止着防止細線取付け治具において、前記本体部位に構成される前記固定具は、少なくとも前記支持線に対して位置を固定する構成とされていることを特徴とする。
【００１９】
この第５の発明によれば、本体部位に構成される前記固定具は、少なくとも支持線に対して位置を固定する構成とされているため、例えば、架空線が非円形であり、支持線が上方位置に配設されていないような場合でも、鳥類止着防止細線を架空線の上方位置に離隔して並行に配索することができる。すなわち、架空線全体に対して固定するものでなくてもよく、支持線に対して位置を固定するものであればよく、種々架空線に対応可能な鳥類止着防止細線取付け治具とすることができる。
【発明の効果】
【００２０】
本発明は上記各発明の手段をとることにより、地上に立設される電柱、鉄塔、建造物等の配索支持構成物間の空中に架け渡される架空線は、電力供給用・通信用等の電線と、該電線の軸方向に沿って張り渡されて該電線を支持する支持線とから成り、前記架空線の電線及び支持線より断面が細く、かつ鳥類が止まることのできない細さの鳥類止着防止細線を、前記架空線の上方位置に離隔して並行に配索するために前記架空線に取り付けられる鳥類止着防止細線取付け治具において、架空線に対して固定した状態で鳥類止着防止細線を常に架空線の上方位置に離隔して並行に配索することができる鳥類止着防止細線取付け治具を提供することができる。
【図面の簡単な説明】
【００２１】
【図１】実施例１に係る鳥類止着防止細線取付け治具が架空線に取り付けられた状態を示す斜視図である。
【図２】実施例１に係る鳥類止着防止細線取付け治具の分解斜視図である。
【図３】実施例１に係る鳥類止着防止細線取付け治具において架空線への固定前状態を円環状部材側から見た拡大斜視図である。
【図４】実施例１に係る鳥類止着防止細線取付け治具において架空線への固定前状態を固定具側から見た拡大斜視図である。
【図５】実施例１に係る鳥類止着防止細線取付け治具において架空線への固定後状態を円環状部材側から見た拡大斜視図である。
【図６】実施例１に係る鳥類止着防止細線取付け治具において架空線への固定後状態を固定具側から見た拡大斜視図である。
【図７】実施例１に係る鳥類止着防止細線取付け治具において鳥類止着防止細線の固定前状態を拡大して示した斜視図である。
【図８】実施例１に係る鳥類止着防止細線取付け治具において鳥類止着防止細線の固定後状態を拡大して示した斜視図である。
【図９】架空線の各形態を示した斜視図である。
【発明を実施するための形態】
【００２２】
以下に、本発明を実施するための形態について、図面を用いて説明する。
【実施例１】
【００２３】
始めに、実施例１の鳥類止着防止細線取付け治具の構成について、図１〜図８を用いて説明する。図１に図示されるように、本実施例の鳥類止着防止細線取付け治具１０は、地上に立設される電柱、鉄塔、建造物等の配索支持構成物間の空中に架け渡される架空線Ｂの電線Ｃ及び支持線Ｄより断面が細く、かつ鳥類が止まることのできない細さの鳥類止着防止細線Ａを、架空線Ｂの上方位置に離隔して並行に配索するために架空線Ｂに取り付けられるものである。
【００２４】
ここで、図９には、架空線の各種形態が図示されている。この図９に図示される架空線Ｂは、種々の形態があるが、概略、電力供給用・通信用等の電線Ｃと、この電線Ｃの軸方向に沿って張り渡されて電線Ｃを支持する支持線Ｄと、から構成されている。この架空線Ｂのうち、自己支持型とされる、いわゆるＳＳケーブル（Ｓｅｌｆ−ｓｕｐｐｏｒｔｉｎｇケープルの頭文字をとってＳＳケーブルと称している。）の構成は、電線Ｃ本体と、鋼線等の支持線Ｄを本体に沿わす格好で間隔をおいて並行に配置し、これら外周を合成樹脂で一体的に被覆されたものである。図９（ａ）に図示されるように、電線Ｃ本体と支持線Ｄが隣接して断面視で見て、だるま形（８字形）のシルエットに似た形状に構成されたものがある。また、図９（ｂ）（ｃ）に図示されるように、断面視で見て、平行形の形状に構成されたものもある。また、図９（ｄ）に図示されるように、支持線Ｄ周りに電線Ｃ本体を巻きつける巻きつけ形の構成のものもある。
これ以外に、図９（ｅ）に図示されるように、支持線Ｄに対し所定間隔を隔ててワイヤーハンガーＨを設置し、支持線Ｄの下方の離隔した位置で電線Ｃを吊って支持する吊り支持形の構成のものがある。本実施例における、鳥類止着防止細線取付け治具１０は、種々の架空線Ｂに対応して設置が可能なものであるが、ここでは、図９（ａ）に図示されるように、いわゆるＳＳケーブルの構成の中で、だるま形（８字形）のものを例示して説明する。
また、鳥類止着防止細線Ａは、架空線Ｂの電線Ｃ及び支持線Ｄより断面が細く、かつスズメ、ムクドリ、ハト、カラス等の鳥類が止まることのできない細さ（実用的な細さとして０．５ｍｍから２ｍｍ程度）の絶縁性を有するロープであれば種々の構成のものを適用できる。例えば、素材が天然繊維又は合成繊維によって構成される繊維ロープとして、例えば、テグス糸やガラス繊維ロープが適用できる。
【００２５】
図２に図示されるように、鳥類止着防止細線取付け治具１０は、合成樹脂を射出成形によって形成されるものであり、概略、円環状部材２０、固定具３０、円弧状部材４０から構成されている。
【００２６】
円環状部材２０について説明する。
図２に図示されるように、この円環状部材２０は、その円環上において、後述する円弧状部材４０を移動可能に支持するものである。この円環状部材２０は、リング本体２２、開閉リング２４の二分割構成とされており、開閉リング２４がリング本体２２に対して回動可能に構成されている。ここで、開閉リング２４が閉鎖状態となって両部材が接続された状態となると、リング本体２２と一体となって円環状の軌道面を構成し、円弧状部材４０が円環全周を移動可能な構成とされている。一方、開閉リング２４がリング本体２２に対して回動して開放状態とされると、その分割箇所から架空線Ｂ（図１参照）を円環状部材２０の内方側に取り込みんで、円環状部材２０の内方位置に配置構成される固定具３０に挿入可能な構成とされている。
【００２７】
円環状部材２０における、リング本体２２、開閉リング２４の二分割構成の分割割合は種々適用できる。図２に図示されるように、本実施例においては、リング本体２２は、円環状部材２０の約三分の二の円弧範囲で形成されており、外周面が一様に平坦に形成された軌道面２２ａを有している。また、内周面には、中心に向かって第１支柱部２２ｂ、第２支柱部２２ｃ、第３支柱部２２ｄが形成されており、これら支柱は、交差する位置で連結されている。第１支柱部２２ｂには、後述する固定具３０の第１固定板３２がリング本体２２の軸方向に隣接して一体に形成されている。第２支柱部２２ｃには、後述する開閉リング２４が回動可能に軸支連結されるヒンジ部２２ｅが形成されている。第３支柱部２２ｄには、後述する開閉リング２４が閉鎖状態を保持するストッパー片２６が配設されている。
開閉リング２４は、円環状部材２０の残る三分の一の円弧範囲の部位が形成されており、リング本体２２と同様に外周面が一様に平坦に形成された軌道面２４ａを有している。また、開閉リング２４の一端側は、リング本体２２と軸支連結されるヒンジ部２４ｂが形成されており、他端側は、リング本体２２の第３支柱部２２ｄに構成されるストッパー片２６と係合する係合部２４ｃが中心方向に延出形成されている。すなわち、開閉リング２４は、第２支柱部２２ｃと第３支柱部２２ｄ間の円周上を形成する部位として配設されている。したがって、開閉リング２４の開放により円環状部材２０の第２支柱部２２ｃと第３支柱部２２ｄ間に架空線Ｂを取り込むことのできる構成となっている。
【００２８】
固定具３０について説明する。
図１に図示されるように、この固定具３０は、鳥類止着防止細線取付け治具１０を架空線Ｂの軸方向位置、周方向位置を固定するために構成されるものである。
図２に図示されるように、この固定具３０は、第１固定板３２と第２固定板３４の板状部材を、架空線Ｂ（図１参照）の径方向から挟持して、固定ボルト３６と固定ナット３８からなる締結手段によって締付け固定する構成とするものである。第１固定板３２は、上述したとおりリング本体２２と一体的に形成されており、中心部に固定ボルト３６が挿通可能な第１ボルト挿通孔３２ａが貫通形成されている。また、第１固定板３２のうち、リング本体２２の軸方向と平行、かつ、リング本体２２の軸中心に近い側の片には、架空線Ｂ（図１参照）を挟持可能な円弧面形状に湾曲形成された第１挟持面３２ｂが形成されている。この第１固定板３２に対向する構成として、第２固定板３４が構成されている。この第２固定板３４の中心部には、固定ボルト３６が挿通可能な矩形の第２ボルト挿通孔３４ａが貫通形成されている。この矩形の第２ボルト挿通孔３４ａの各内周面は、固定ボルト３６に形成されたストッパー部位３６ｂと対応するストッパー面３４ｃとして形成されており、両者が係合することで固定ボルト３６の回転が規制されるものである。これにより、固定ボルト３６は、第２固定板３４の第２ボルト挿通孔３４ａに挿通された状態で回転規制され、この状態で固定ナット３８を回しても、固定ボルト３６は空回りが防止されるため締結操作が容易とされている。また、第２固定板３４には、第１固定板３２と対向して第２挟持面３４ｂが形成されている。この第２挟持面３４ｂは、架空線Ｂ（図１参照）の形態に考慮して円弧面形状の大きさに湾曲形成されている。
【００２９】
円弧状部材４０について説明する。
図１に図示されるように、この円弧状部材４０は、上記した円環状部材２０の円環上に支持されるものである。この円弧状部材４０には、架空線Ｂに並行に配索される鳥類止着防止細線Ａを円弧状部材４０に固定する細線固定手段を備えている。また、円弧状部材４０を円環状部材２０の円環上の任意の位置で円環状部材２０に固定することのできる円弧状部材移動固定手段を備えている。
【００３０】
図２に図示されるように、この円弧状部材４０は、円環状部材２０の外周面に沿った円弧状基部４０ａが形成されており内周面は、円弧状部材２０のリング本体２２の軌道面２２ａ及び、開閉リング２４の軌道面２４ａに嵌めこまれて両部材の径方向外方に外れない状態で周方向に摺動可能な形状に形成されている。この円弧状基部４０ａの外周面には、径方向外方に放射状に突出した第１細線固定部位４２と、第２細線固定部位４４、４４が形成されている。
【００３１】
図２に図示されるように、第１細線固定部位４２は、円柱状部位が放射状に突出形成されている。第１細線固定部位４２の外周面は、第１細線取付ナット５０の内周面に形成される雌ネジ部位５０ａに螺合可能な雄ネジ部位４２ａが形成されている。また、第１細線固定部位４２の内周面は、後述する第１押圧ピン４６が挿通する第１押圧ピン挿通路４２ｂが形成されている。この第１押圧ピン挿通路４２ｂは、円弧状基部４０ａの内周面まで貫通形成されている（図８参照）。また、第１細線固定部位４２の軸方向中間部には、後述する鳥類止着防止細線Ａ（図７参照）が取り込まれる細線導入溝４２ｃが形成されている。この細線導入溝４２ｃは、第１細線固定部位４２の軸中心に向かって切込み形成されると共に、円弧状基部４０ａに向かって屈曲して切込み形成されている。第１押圧ピン４６は、上記第１押圧ピン挿通路４２ｂの内周面に対応する外周面形状として形成されており、上端には、第１細線取付ナット５０の嵌合凹部５０ｃと嵌め合い可能な嵌合凸部４６ａが形成されている。また、上記した、第１細線取付ナット５０の外周面形状は、締結操作の際に把持し易いように、扁平な板状の把持部５０ｂが一体として形成されている。
【００３２】
図２に図示されるように、第２細線固定部位４４、４４は、円柱状部位が放射状に突出形成されている。第２細線固定部位４４、４４の外周面は、第２細線取付ナット５２、５２の内周面に形成される雌ネジ部位５２ａ、５２ａに螺合可能な雄ネジ部位４４ａ、４４ａが形成されている。また、第２細線固定部位４４、４４の内周面は、後述する第２押圧ピン４８、４８が挿通する第２押圧ピン挿通路４４ｂ、４４ｂが形成されている。この第２押圧ピン挿通路４４ｂ、４４ｂは、有底の穴形状として形成されている（図８参照）。また、第２細線固定部位４４、４４の軸方向中間部には、後述する鳥類止着防止細線Ａ（図７参照）が取り込まれる細線導入溝４４ｃ、４４ｃが形成されている。この細線導入溝４２ｃ、４４ｃは、第２細線固定部位４４、４４の軸中心に向かって切込み形成されると共に、円弧状基部４０ａに向かって屈曲して切込み形成されている。第２押圧ピン４８、４８は、上記第２押圧ピン挿通路４４ｂ、４４ｂの内周面に対応する外周面形状として形成されており、上端には、第２細線取付ナット５２、５２の嵌合凹部５２ｃ、５２ｃと嵌め合い可能な嵌合凸部４８ａ、４８ａが形成されている。また、上記した、第２細線取付ナット５２、５２の外周面形状は、締結操作の際に把持し易いように、扁平な板状の把持部５２ｂ、５２ｂが一体として形成されている。
【００３３】
上記のように構成される鳥類止着防止細線取付け治具１０の鳥類止着防止細線Ａの取り付け方法について、鳥類止着防止細線取付け治具１０の架空線Ｂへの固定、鳥類止着防止細線Ａの円弧状部材４０への固定、及び、円弧状部材４０の円環状部材２０の円環上の任意位置への固定について説明する。
【００３４】
〔鳥類止着防止細線取付け治具１０の架空線Ｂへの固定〕
図３及び図４に図示されるように、円環状部材２０のストッパー片２６の係合を解除して開閉リング２４の係合部２４ｃとリング本体２２の第３支柱部２２ｄが分離可能な状態とする。そして、開閉リング２４をリング本体２２に対して径方向外方に回動させて開放状態とする。このとき、固定具３０の第１固定板３２と第２固定板３４は離間した状態とされている。この状態で、円環状部材２０の分割箇所から架空線Ｂを円環状部材２０の内方側に取り込みんで、円環状部材２０の内方位置に配置構成される固定具３０に挿入する。その後、第１固定板３２と第２固定板３４によって、架空線Ｂの支持線Ｄを挟み込んで固定ボルト３６と固定ナット３８によって締付け固定する。
次に図５及び図６に図示されるように、開閉リング２４をリング本体２２に対して径方向内方側に回動させて閉鎖状態とする。そして、開閉リング２４の係合部２４ｃとリング本体２２の第３支柱部２２ｄが隣接した状態でストッパー片２６をはめ込んで固定する。
【００３５】
〔鳥類止着防止細線Ａの円弧状部材４０への固定（細線固定手段）、及び、円弧状部材４０の円環状部材２０の円環上の任意位置への固定（円弧状部材移動固定手段）〕
まず、図７に図示されるように、円弧状部材４０を円環状部材２０の円環上において、第１細線固定部位４２または、第２細線固定部位４４、４４が架空線Ｂに対して上方位置に配置構成されるように移動させる。
次に、鳥類止着防止細線Ａを円弧状部材４０に形成されている第１細線固定部位４２の細線導入溝４２ｃに挿入する。この状態で、第１細線取付ナット５０にはめ込まれた第１押圧ピン４６を第１細線固定部位４２の第１押圧ピン挿通路４２ｂ内に挿入して、第１細線取付ナット５０を締付けていく。そうすると、第１押圧ピン４６の先端部は、鳥類止着防止細線Ａを円弧状部材４０の円弧状基部４０ａに向かって押し込みながら進入し、円環状部材２０のリング本体２２の軌道面２２ａ（開閉リング２４の軌道面２４ａ（図２参照）の場合もある。）に当接する。
図８に図示されるように、更に第１細線取付ナット５０を締付けていくと、円環状部材２０に対し径方向へ押圧する第１押圧ピン４６と鳥類止着防止細線Ａの接触面の摩擦力、及び、鳥類止着防止細線Ａとリング本体２２の軌道面２２ａ（開閉リング２４の軌道面２４ａ（図２参照）の場合もある。）の間の摩擦力によって、円弧状部材４０の円環状部材２０に対する固定（円弧状部材移動固定手段）と、鳥類止着防止細線Ａの円弧状部材４０への固定（細線固定手段）が同時になされる。
【００３６】
同様に、第２細線固定部位４４の構成について説明する。図７に図示されるように、鳥類止着防止細線Ａを円弧状部材４０に形成されている第２細線固定部位４４の細線導入溝４４ｃに挿入する。この状態で、第２細線取付ナット５２にはめ込まれた第２押圧ピン４８を第２細線固定部位４４の第２押圧ピン挿通路４４ｂ内に挿入して、第２細線取付ナット５２を締付けていく。そうすると、第２押圧ピン４８の先端部は、鳥類止着防止細線Ａを円弧状部材４０の円弧状基部４０ａに向かって押し込みながら進入する。ここで、この第２押圧ピン挿通路４４ｂは、有底の穴形状として形成されている。そのため、第２押圧ピン４８の先端部は、第２押圧ピン挿通路４４ｂの底部４４ｄに当接する。
そして図８に図示されるように、更に第２細線取付ナット５２を締付けていくと、第２押圧ピン４８と第２押圧ピン挿通路４４ｂの底部４４ｄの間に鳥類止着防止細線Ａが挟み込まれて両部材の接触面の摩擦力によって、鳥類止着防止細線Ａの固定がなされる。
【００３７】
このように、本実施例１の鳥類止着防止細線取付け治具１０によれば、架空線Ｂに取付けられる本体部位は円環状部材２０として構成されている。この本体部位の円環状部材２０には、その円環上を移動可能な円弧状部材４０が配設されている。この円弧状部材４０には、細線固定手段、円弧状部材移動固定手段が構成されている。この円弧状部材移動固定手段によって円弧状部材４０を円環状部材２０の円環上の任意の位置で円環状部材２０に固定して、細線固定手段によって架空線Ｂに並行に配索される鳥類止着防止細線Ａを円弧状部材４０に固定する構成となっている。これにより、架空線Ｂに対して固定した状態で鳥類止着防止細線Ａを常に架空線Ｂの上方位置に離隔して並行に配索することができる。また、鳥類止着防止細線Ａは、鳥類が止まることのできない細さで構成されているため、風への影響を受けにくい。また、降雨時に雨水などが溜まり易い構成でもなく、降雪時に雪が積雪しやすい構成でもない。また、コストの抑制も図れる。
【００３８】
また、円弧状部材４０に設ける細線固定手段と円弧状部材移動固定手段は、単一の操作により連動してその固定作動が行われる構成であるため、架空線Ｂに対する鳥類止着防止細線Ａの設置を容易にすることができる。
【００３９】
また、円環状部材２０に対し径方向へ押圧する第１押圧ピン４６との接触面の摩擦力によって円弧状部材４０の円環状部材２０に対する固定と、鳥類止着防止細線Ａの固定をする構成である。これにより単一の操作による連動固定がなされており、より一層架空線Ｂに対する鳥類止着防止細線Ａの設置を容易とすることができる。また、複雑な構造ではなく、第１押圧ピン４６によるものであるため、材料コストの抑制を図ることができる。
【００４０】
また、本体部位の円環状部材２０は、二分割構成となっており、分割された箇所から架空線Ｂを円環状部材２０の外方位置から内方位置の固定具３０の位置に挿入可能とされているため、取付性がより一層容易となっている。また、この二分割構成の円環状部材２０は、分離接続可能な構成のため、架空線Ｂを円環状部材２０の内方位置の固定具３０の位置に挿入した後に再び接続した構成とすることで鳥類止着防止細線取付け治具１０の不意の脱落を防止することができる。
【００４１】
また、本体部位に構成される前記固定具３０は、少なくとも支持線Ｄに対して位置を固定する構成とされているため、例えば、架空線Ｂが非円形であり、支持線Ｄが上方位置に配設されていないような場合でも、鳥類止着防止細線Ａを架空線Ｂの上方位置に離隔して並行に配索することができる。すなわち、架空線Ｂ全体に対して固定するものでなくてもよく、支持線Ｄに対して位置を固定するものであればよく、種々架空線Ｂに対応可能な鳥類止着防止細線取付け治具１０とすることができる。
【００４２】
以上、本発明の実施形態について実施例１について説明したが、本発明の鳥類止着防止細線取付け治具は、本実施の形態に限定されず、その他各種の形態で実施することができるものである。例えば、本実施例の鳥類止着防止細線取付け治具１０は、架空線Ｂへの固定する構成として、第１固定板３２と、第２固定板３４の別体構成によって架空線Ｂの径方向から挟持する構成のものについて示した。しかしながらこの構成に特に限定されることはなく、本発明における鳥類止着防止細線取付け治具は、架空線の軸方向位置、周方向位置を固定するものであれば、種々の機構を適用できるものであり、例えば、第１固定板と、第２固定板がヒンジ機構で連結されているものであってもよい。
【００４３】
また、本実施例の鳥類止着防止細線取付け治具１０は、鳥類止着防止細線Ａの取り付ける構成として第１細線固定部位４２、第２細線固定部位４４、４４の３つ構成について示した。しかしながら、これに限定されず、本発明の鳥類止着防止細線取付け治具は、鳥類止着防止細線を架空線の上方位置に離隔して並行に配索することができる構成であれば、少なくとも一つの細線固定部位が構成されているものでもよい。また、３つ構成以外に、２つ構成でもよいし、３つ以上の構成であってもよい。
【００４４】
また、本実施例の鳥類止着防止細線取付け治具１０は、円環状部材２０に対し径方向へ押圧する第１押圧ピン４６と鳥類止着防止細線Ａの接触面の摩擦力、及び、鳥類止着防止細線Ａとリング本体２２の軌道面２２ａ（開閉リング２４の軌道面２４ａ（図２参照）の場合もある。）の間の摩擦力によって、円弧状部材４０の円環状部材２０に対する固定（円弧状部材移動固定手段）と、鳥類止着防止細線Ａの円弧状部材４０への固定（細線固定手段）が同時になされる構成について示した。しかしながら、これに限定されず、本発明の鳥類止着防止細線取付け治具は、円弧状部材の円環状部材に対する固定（円弧状部材移動固定手段）と、鳥類止着防止細線の円弧状部材への固定（細線固定手段）の両固定手段を具備しているのであれば、別々の異なる機構によって、それぞれ操作する構成であってもよい。たとえば、上記実施例において第１細線固定部位４２から細線導入溝４２ｃの形成を止めて、円弧状部材移動固定手段のみの機能構成とし、第２細線固定手段４４を細線固定手段の機能のみで構成してもよい。
【００４５】
また、本実施例の鳥類止着防止細線取付け治具１０は、架空線Ｂへの固定する構成として、固定具３０が架空線Ｂの支持線Ｄに対して位置を固定する構成について示した。しかしながら、これに限定されず、本発明の鳥類止着防止細線取付け治具は、少なくとも前記支持線に対して位置を固定する構成とされていればよく、固定具が架空線全体に対して固定する構成のものであってもよい。
【符号の説明】
【００４６】
１０      鳥類止着防止細線取付け治具
２０      円環状部材
２２      リング本体
２２ａ    軌道面
２２ｂ    第１支柱部
２２ｃ    第２支柱部
２２ｄ    第３支柱部
２２ｅ    ヒンジ部
２４      開閉リング
２４ａ    軌道面
２４ｂ    ヒンジ部
２４ｃ    係合部
２６      ストッパー片
３０      固定具
３２      第１固定板
３２ａ    第１ボルト挿通孔
３２ｂ    第１挟持面
３４      第２固定板
３４ａ    第２ボルト挿通孔
３４ｂ    第２挟持面
３４ｃ    ストッパー面
３６      固定ボルト
３６ｂ    ストッパー部位
３８      固定ナット
４０      円弧状部材
４０ａ    円弧状基部
４２      第１細線固定部位
４２ａ    第１細線固定部位の雄ネジ部位
４２ｂ    第１押圧ピン挿通路
４２ｃ    細線導入溝
４４      第２細線固定部位
４４ａ    第２細線固定部位の雄ネジ部位
４４ｂ    第２押圧ピン挿通路
４４ｃ    細線導入溝
４４ｄ    底部
４６      第１押圧ピン
４６ａ    嵌合凸部
４８      第２押圧ピン
４８ａ    嵌合凸部
５０      第１細線取付ナット
５０ａ    第１細線取付ナットの雌ネジ部位
５０ｂ    把持部
５０ｃ    嵌合凹部
５２      第２細線取付ナット
５２ａ    第２細線取付ナットの雌ネジ部位
５２ｂ    把持部
５２ｃ    嵌合凹部
Ａ        鳥類止着防止細線
Ｂ        架空線
Ｃ        電線
Ｄ        支持線
Ｈ        ワイヤーハンガー
【図１】
2012039918.tif 000003
【図２】
2012039918.tif 000004
【図３】
2012039918.tif 000005
【図４】
2012039918.tif 000006
【図５】
2012039918.tif 000007
【図６】
2012039918.tif 000008
【図７】
2012039918.tif 000009
【図８】
2012039918.tif 000010
【図９】
2012039918.tif 000011